(57)【要約】【課題】本願は、衣服の開口部から容易に脱落しない衣服用ファンを提供することを課題とする。【解決手段】本発明は、衣服の開口部に装着される衣服用ファンであって、電動のファンを内蔵し、開口部の周囲に接触するフランジ部を有するファン本体と、ファン本体に係合され、衣服のうち開口部の周囲の部位を介してフランジ部に接触する固定部材と、を備え、固定部材とフランジ部の少なくとも何れか一方は、何れか他方へ向かって形成されており、開口部の縁沿いに形成されている周縁部に係合する係合部を有する。【選択図】図４
2020067058.tif 000002
【特許請求の範囲】
【請求項１】
衣服の開口部に装着される衣服用ファンであって、
電動のファンを内蔵し、前記開口部の周囲に接触するフランジ部を有するファン本体と、
前記ファン本体に係合され、前記衣服のうち前記開口部の周囲の部位を介して前記フランジ部に接触する固定部材と、を備え、
前記固定部材と前記フランジ部の少なくとも何れか一方は、何れか他方へ向かって形成されており、前記開口部の縁沿いに形成されている周縁部に係合する係合部を有する、
衣服用ファン。
【請求項２】
前記係合部は、前記開口部の縁から所定距離にある位置において何れか他方へ向かって形成されている、
請求項１に記載の衣服用ファン。
【請求項３】
前記周縁部は、前記開口部の縁から前記所定距離よりも内側の範囲に設けられており、前記衣服の生地よりも厚い部位である、
請求項１又は２に記載の衣服用ファン。
【請求項４】
前記係合部は、少なくとも前記固定部材の外周縁沿いに設けられている、
請求項１から３の何れか一項に記載の衣服用ファン。
【請求項５】
前記係合部は、少なくとも前記フランジ部の外周縁沿いに設けられている、
請求項１から４の何れか一項に記載の衣服用ファン。
【請求項６】
前記係合部は、離散配置された突起を含む、
請求項１から５の何れか一項に記載の衣服用ファン。
【請求項７】
前記係合部は、微細な凹凸を含む、
請求項１から６の何れか一項に記載の衣服用ファン。
【請求項８】
前記係合部は、ゴム製の滑り止めを含む、
請求項１から７の何れか一項に記載の衣服用ファン。
【発明の詳細な説明】
【技術分野】
【０００１】
本発明は、衣服用ファンに関する。
【背景技術】
【０００２】
近年、着用者に清涼感を与える目的で空気を送風するファンを備えた衣服が用いられている。ファンを備えた衣服は、高温環境下で作業を行う作業員が着用するため、主に作業着の形態で流通している。ファンを備えた衣服にはファンを取り付けるための開口部が設けられており、当該開口部に電動のファン（以下、「衣服用ファン」という）が装着される（例えば、特許文献１−２を参照）。
【先行技術文献】
【特許文献】
【０００３】
【特許文献１】特許第４３９９７６５号公報
【特許文献２】特許第６２００６０６号公報
【発明の概要】
【発明が解決しようとする課題】
【０００４】
衣服用ファンは、例えば、衣服に設けられた円形の開口部にファン本体を服の外側から嵌めた後、服の内側から環状の固定部材をファン本体の雄ネジに螺合することで、衣服の開口部の縁がファン本体のフランジと固定部材との間に挟まれ、衣服に固定される。このような形態で衣服に固定される衣服用ファンの場合、ファン本体に螺合される固定部材は、ファン本体と同等の外径を有し、ファン本体に設けられている雄ネジに螺合する雌ネジを内周面に有する形態となる。よって、衣服用ファンが衣服の開口部から脱落するのを防ぐには、開口部の縁がファン本体と固定部材との間から外れないようにすることが肝要である。
【０００５】
しかし、着用者が作業を行う場合、作業に伴う着用者の姿勢の変化により、衣服には様々な方向に力が加わる。よって、このような力が衣服の開口部付近に加わると、開口部の縁がファン本体と固定部材との間から外れ、衣服用ファンが衣服の開口部から脱落する可能性がある。
【０００６】
そこで、本願は、衣服の開口部から容易に脱落しない衣服用ファンを提供することを課題とする。
【課題を解決するための手段】
【０００７】
上記課題を解決するため、本発明では、衣服の開口部の縁沿いに形成されている周縁部に係合する係合部を衣服用ファンに設けることにした。
【０００８】
詳細には、本発明は、衣服の開口部に装着される衣服用ファンであって、電動のファンを内蔵し、開口部の周囲に接触するフランジ部を有するファン本体と、ファン本体に係合され、衣服のうち開口部の周囲の部位を介してフランジ部に接触する固定部材と、を備え、固定部材とフランジ部の少なくとも何れか一方は、何れか他方へ向かって形成されており、開口部の縁沿いに形成されている周縁部に係合する係合部を有する。
【０００９】
ここで、衣服の開口部とは、衣服用ファンを装着するために設けられた衣服の穴であり、開口部の縁沿いに、周囲よりも厚肉の周縁部が設けられたものである。この周縁部は、開口部における衣服の端から、例えば、数ｍｍ乃至十数ｍｍ程度の範囲内に形成されるた
め、周辺部とその外側（外周側）との間には段差が形成される。また、係合とは、部材同士が相対移動した場合に一方が他方へ接触する概念であり、部材同士を挟持することによる締結を含まない概念である。また、係合するとは、衣服の生地に引張方向の力が加わった場合に係合し得ることを含む概念であり、ファン本体に固定部材を螺合すると周縁部がただちに係合部に係合することを意図する概念ではない。
【００１０】
上記の衣服用ファンでは、固定部材とフランジ部の少なくとも何れか一方に、何れか他方へ向かって形成される係合部が設けられているため、衣服の開口部の周囲に引張方向の力が加わっても、周縁部が係合部に係合する。このため、開口部の縁が固定部材とフランジ部との間から外れる可能性が低い。このため、衣服用ファンが衣服の開口部から容易に脱落しない。
【００１１】
なお、係合部は、開口部の縁から所定距離にある位置において何れか他方へ向かって形成されていてもよい。ここで、所定距離とは、衣服用ファンが開口部に固定された状態における、開口部の縁から係合部までの距離であり、例えば、開口部に設けられている周縁部の幅よりも大きい距離である。係合部がこのような位置に設けられていれば、開口部の周囲に引張方向の力が加わった際に係合部が周縁部と係合することになるため、衣服用ファンが衣服の開口部から容易に脱落しない。
【００１２】
また、周縁部は、開口部の縁から所定距離よりも内側の範囲に設けられており、衣服の生地よりも厚い部位であってもよい。ここで、衣服の生地よりも厚いとは、開口部の周辺における相対的な厚みを規定する概念であり、例えば、開口部から遠く離れた衣服の袖口等における生地の厚みよりも周縁部が厚いことを規定する概念ではない。このような周縁部が形成されていれば、開口部の周囲に引張方向の力が加わった際に、係合部への周縁部の接触によって周縁部が係合部に係合することになるため、衣服用ファンが衣服の開口部から容易に脱落しない。
【００１３】
また、係合部は、少なくとも固定部材の外周縁沿いに設けられていてもよい。係合部が固定部材の外周縁沿いに設けられていれば、周縁部の係合部へのより確実な係合が可能となるため、衣服用ファンが衣服の開口部から容易に脱落しない。
【００１４】
また、係合部は、少なくともフランジ部の外周縁沿いに設けられていてもよい。係合部がフランジ部の外周縁沿いに設けられていれば、周縁部の係合部へのより確実な係合が可能となるため、衣服用ファンが衣服の開口部から容易に脱落しない。
【００１５】
また、係合部は、離散配置された突起を含むものであってもよい。このような突起が設けられていれば、突起が周縁部に接触するので、衣服用ファンが衣服の開口部から容易に脱落しない。
【００１６】
また、係合部は、微細な凹凸を含むものであってもよい。このような凹凸が設けられていれば、開口部の周囲に引張方向の力が加わった際に、凹凸への周縁部の接触によって周縁部が係合部に係合することになるため、衣服用ファンが衣服の開口部から容易に脱落しない。
【００１７】
また、係合部は、ゴム製の滑り止めを含むものであってもよい。このような係合部であれば、開口部の周囲に引張方向の力が加わった際に、ゴムの摩擦力で周縁部の動きが阻止されるため、衣服用ファンが衣服の開口部から容易に脱落しない。
【発明の効果】
【００１８】
上記の衣服用ファンであれば、衣服の開口部から容易に脱落しない。
【図面の簡単な説明】
【００１９】
【図１】図１は、実施形態に係る衣服用ファンを示した斜視図である。
【図２】図２は、実施形態に係る衣服用ファンを図１とは異なる方向から示した斜視図である。
【図３】図３は、固定部材の斜視図である。
【図４】図４は、衣服用ファンが衣服に固定された状態を示した図である。
【図５】図５は、衣服用ファンの第１変形例を示した斜視図である。
【図６】図６は、衣服用ファンの第２変形例を示した斜視図である。
【図７】図７は、衣服用ファンの第３変形例を示した斜視図である。
【図８】図８は、衣服用ファンの第４変形例を示した図である。
【図９】図９は、衣服用ファンの第５変形例を示した図である。
【図１０】図１０は、衣服用ファンの第６変形例を示した図である。
【図１１】図１１は、衣服用ファンの第７変形例を示した図である。
【発明を実施するための形態】
【００２０】
以下、本発明の実施形態について説明する。以下に示す実施形態は、本発明の実施形態の一例であり、本発明の技術的範囲を以下の態様に限定するものではない。
【００２１】
図１は、本実施形態に係る衣服用ファンを示した斜視図である。衣服用ファン１は、衣服４を構成する生地４１に設けられた円形の開口部４２に装着される装置であり、電動のファンを内蔵するファン本体２と、ファン本体２に螺合される固定部材３とを備える。衣服用ファン１は、ファン本体２が開口部４２に衣服４の外側から挿入され、固定部材３が衣服４の内側からファン本体２に螺合される。まず、ファン本体２について説明し、その後、固定部材３について説明する。
【００２２】
ファン本体２は、内蔵されているファンの回転軸を中心に線対称の略半球体或いはドーム状の外観形状のハウジング２１を有する。半球体において非球面部分に相当する略平坦な部位は、ハウジング２１の前面となり、衣服用ファン１が開口部４２に装着された状態において衣服４の外側を向く。そして、ハウジング２１の前面部分の縁には、ハウジング２１を前面から見た場合に最外周縁部分を形成するフランジ部２７が設けられている。このフランジ部２７は、開口部４２の内径よりもやや大きい外径を有しているため、開口部４２に衣服用ファン１が装着された状態において開口部４２の周囲に衣服４の外側から接触することができる。
【００２３】
また、ハウジング２１は、半球体において球面の縁に相当する部位に雄ネジ２４を有する。雄ネジ２４の外径は、開口部４２の内径よりも小さい。よって、雄ネジ２４の部分は、衣服用ファン１が開口部４２に装着されると開口部４２の内側に収まる。
【００２４】
また、ハウジング２１は、内蔵されているファンによって発生される気流がハウジング２１の内外を流通するように、全体的に格子状の構造体となっている。そして、ハウジング２１に内蔵のファンは、衣服４の外側から内側へ空気を送風する。よって、ハウジング２１の前面側を構成する格子の隙間は吸気口２２となる。また、ハウジング２１の後面側を構成する格子の隙間は排気口２３となる。
【００２５】
また、ファン本体２には、微細な凹凸による滑り止め２８が設けられている。この滑り止め２８は、衣服用ファン１を開口部４２に取り付ける際、ファン本体２を保持する人の手が滑るのを抑制する。
【００２６】
次に、固定部材３について説明する。固定部材３は、環状のリング部３１と、リング部
３１の外周面において周方向に離散配置される筋状の突起である滑り止め３２と、リング部３１の内周面に形成される雌ネジ３３とを有する。雌ネジ３３の内径は、雄ネジ２４の外径にほぼ一致している。よって、雌ネジ３３は、雄ネジ２４に螺合することができる。そして、リング部３１の外径は、開口部４２の内径よりもやや大きい。よって、ファン本体２が開口部４２に入った状態で雌ネジ３３が雄ネジ２４に螺合されると、リング部３１は、開口部４２の周囲の部分をファン本体２のフランジ部２７側へ押圧することになる。
【００２７】
次に、衣服用ファン１が固定される衣服４について説明する。衣服４には、開口部４２の周縁沿いに周縁部４３が設けられている。周縁部４３は、生地４１が開口部４２の縁から裂けるのを防止する目的で設けられており、いわゆるバイアステープを縫い付けることにより周囲より厚くなっているため、実質的に環状の厚肉部を形成する。そして、厚肉部は、その周囲との間に段差を形成する。また、図１には図示されていないが、生地４１には、生地４１の伸びによる開口部４２の拡径を防止するため、樹脂製の板材からなる補強材が開口部４２の周囲に積層されている。なお、周縁部４３は、バイアステープの代わりに、例えば、ゴム材、ワッペン、環状の樹脂或いは金属、その他各種の部材が適用されていてもよい。
【００２８】
図２は、本実施形態に係る衣服用ファン１を図１とは異なる方向から示した斜視図である。図２では衣服４の図示が省略されている。図２を見ると判るように、固定部材３には、固定部材３の内周縁沿いに連続的に形成される環状の押圧面３４と、固定部材３の外周縁沿いに離散配置された突起３５（本願でいう「係合部」の一例である）が設けられている。図２を見ると判るように、押圧面３４と突起３５は、ファン本体２の雄ネジ２４に固定部材３の雌ネジ３３が螺合された状態においてフランジ部２７に対向することになる位置に設けられている。そして、このフランジ部２７が、開口部４２の内径よりもやや大きい外径を有しており、開口部４２に衣服用ファン１が装着された状態において開口部４２の周囲に衣服４の外側から接触するものなので、ファン本体２の雄ネジ２４に固定部材３の雌ネジ３３が螺合されると、押圧面３４は、開口部４２の周囲をフランジ部２７へ押圧し、突起３５は、突端が生地４１に接するか、又は、突端と生地４１の隙間が周縁部４３と生地４１との間にある段差の高さ以下になる位置とする。すなわち、突起３５の突端は、生地４１を押圧するのではなく、生地４１に触れる位置か、又は、生地４１に触れる手前の位置となる。よって、突起３５は生地４１を傷めることが無い。
【００２９】
図３は、固定部材３の斜視図である。図３を見ると判るように、突起３５は、固定部材３の外周縁沿いの円周上に円の中心を基準点とし等角度ピッチで複数設けられている。突起３５同士の角度ピッチは、生地４１の強度にもよるが、例えば、開口部４２の直径が９０ｍｍ程度であれば、２２．５度程度にすることが望ましく、その結果、突起３５同士の間隔は２０ｍｍ程度になる。
【００３０】
図３の部分拡大図を見ると判るように、突起３５は、ファン本体２の雄ネジ２４に固定部材３の雌ネジ３３が螺合された状態において固定部材３の中心寄りに斜めに突出する形態となっている。突起３５は、このように形成されているため、ファン本体２が衣服４の開口部４２にセットされた状態でファン本体２の雄ネジ２４に固定部材３の雌ネジ３３が適度な強度で螺合されると、開口部４２の周囲に対して以下のように接触する。
【００３１】
図４は、衣服用ファン１が衣服４に固定された状態を示した図である。ファン本体２が衣服４の開口部４２にセットされた状態でファン本体２の雄ネジ２４に固定部材３の雌ネジ３３が適度な強度で螺合されると、突起３５は、図４に示されるように、開口部４２の縁から所定距離ｔにある位置においてフランジ部２７の方へ突出する状態となる。この所定距離ｔとは、開口部４２の縁から開口部４２の径方向に向かう方向における周縁部４３の長さよりも長い距離であり、例えば、周縁部４３が開口部４２の縁に７ｍｍの幅で環状
に形成されていれば、７ｍｍよりも長い距離（例えば８ｍｍ）となる。そして、突起３５がこのような位置に設けられているため、突起３５の突端は、開口部４２の周囲のうち周縁部４３よりも外側（外周側）の位置で生地４１に接触している。そして、突起３５は、固定部材３の中心寄りに斜めに突出形成されているため、突起３５の突端が周縁部４３の外側の位置において周縁部４３の方を向いた状態となっている。
【００３２】
衣服用ファン１は、上記のように構成されているため、衣服用ファン１の着用者の姿勢の変化により、衣服４の生地４１に引張方向の力が加わって生地４１がフランジ部２７と固定部材３との間で相対移動しても、周縁部４３が突起３５に接触する。そして、周縁部４３が突起３５に接触すると、開口部４２の周囲は引張方向にそれ以上広がることができない。よって、周縁部４３が突起３５に係合した状態となり、開口部４２における引張方向への変形は突起３５によって阻止された状態となる。この結果、開口部４２の縁がファン本体２のフランジ部２７と固定部材３との間から外れる可能性が可及的に抑制される。特に、突起３５は、固定部材３の中心寄りに斜めに突出形成されることで、突起３５の突端が周縁部４３の外側の位置において周縁部４３の方を向いた状態となっているため、生地４１に引張方向の力が加わって周縁部４３が突起３５の突端に接触した際、突起３５の突出方向と周縁部４３の移動方向とが多少対向する状態となる。このため、周縁部４３が突起３５とフランジ部２７との間を通り抜けにくく、開口部４２の周囲が引張方向にそれ以上広がらない。開口部４２の周囲が引張方向に広がらないため、衣服４の使用を繰り返すことによる生地４１の劣化で開口部４２が拡径することも無い。
【００３３】
図５は、衣服用ファン１の第１変形例を示した斜視図である。上記実施形態では、突起３５が固定部材３の中心寄りに斜めに突出形成されていたが、衣服用ファン１はこのような形態に限定されない。衣服用ファン１は、例えば、図５に示されるように、突起３５がフランジ部２７に対し斜めではなく真っ直ぐに突出形成されていてもよい。このような形態の突起３５であっても、開口部４２の周囲で生地４１に引張方向の力が加わった際、周縁部４３が突起３５に係合した状態となり、開口部４２における引張方向への変形が突起３５に阻止される。
【００３４】
図６は、衣服用ファン１の第２変形例を示した斜視図である。図３では、突端が一定の横幅を有する突起３５が離散配置されている様子が図示されていたが、突起３５はこのような形態に限定されるものではない。突起３５は、例えば、図６に示されるように、固定部材３の外周縁沿いに半球状の形態で離散配置されていてもよい。突起３５が半球状の形態であっても、突起３５の突端が周縁部４３に接触できるため、開口部４２における引張方向への変形を突起３５が阻止可能である。この結果、開口部４２の縁がファン本体２のフランジ部２７と固定部材３との間から外れる可能性が更に抑制される。
【００３５】
図７は、衣服用ファン１の第３変形例を示した斜視図である。図３では、固定部材３の外周縁沿いに円弧状の突起３５が、突端が平たい形態で図示されていたが、突起３５はこのような形態に限定されるものではない。突起３５は、例えば、図７に示されるように、突端が丸みを帯びた形態で形成されていてもよい。突起３５の突端が丸みを帯びた形態であれば、固定部材３の雌ネジ３３をファン本体２の雄ネジ２４に螺合する際、突起３５が生地４１に接触した状態でも生地４１の表面を滑りやすいため、螺合をスムーズに行うことができる。そして、このような形態の突起３５であっても、開口部４２における引張方向への力が加わった際、周縁部４３が突起３５に係合した状態となり、開口部４２における引張方向への変形が突起３５に阻止される。
【００３６】
ところで、上記実施形態や変形例では、固定部材３に設けられた突起３５が周縁部４３に係合する形態となっていたが、周縁部４３を係合する手段は、フランジ部２７に設けられていてもよいし、固定部材３とフランジ部２７の両方に設けられていてもよい。
【００３７】
図８は、衣服用ファン１の第４変形例を示した図である。衣服用ファン１は、固定部材３に設けられた突起３５の代わりに、フランジ部２７に設けられた突起２９を備えるものであってもよい。この場合、突起２９は、突起３５と同様、開口部４２の縁から所定距離にある位置において固定部材３の方へ突出する形態である。このような突起２９が設けられていれば、衣服用ファン１の着用者の姿勢の変化により、衣服４の生地４１に引張方向の力が加わると、周縁部４３が突起２９に接触する。周縁部４３が突起２９に接触すると、開口部４２の周囲は引張方向にそれ以上広がることができない。すなわち、周縁部４３の突起２９への係合により、開口部４２における引張方向への変形が阻止される。
【００３８】
図９は、衣服用ファン１の第５変形例を示した図である。衣服用ファン１は、固定部材３に設けられた突起３５とフランジ部２７に設けられた突起２９の両方を備えるものであってもよい。突起３５と突起２９の両方が設けられていれば、衣服用ファン１の着用者の姿勢の変化により、衣服４の生地４１に引張方向の力が加わると、周縁部４３が突起３５と突起２９の両方に接触する。周縁部４３が突起３５と突起２９の両方に接触すると、開口部４２の周囲は引張方向にそれ以上広がることができない。よって、開口部４２における引張方向への変形は突起３５と突起２９の両方によってより確実に阻止される。すなわち、周縁部４３の突起２９と突起３５への係合により、開口部４２における引張方向への変形が阻止される。この場合、突起２９と突起３５が対向する位置関係になるか否かは、突起２９同士の間隔、突起３５同士の間隔、螺合された状態におけるファン本体２と固定部材３との相対的な向きにもよるが、突起２９と突起３５が対向する位置関係にあると否とに関わり無く、開口部４２における引張方向への変形を阻止する機能は発揮される。
【００３９】
また、上記実施形態や変形例では、周縁部４３に係合する手段として突起が例示されていたが、周縁部４３に係合する手段としては、突起に限定されない。
【００４０】
図１０は、衣服用ファン１の第６変形例を示した図である。衣服用ファン１は、上述した突起２９，３５の代わりに、微細な凹凸２９Ａ，３５Ａ（本願でいう「係合部」の一例である）を備えるものであってもよい。凹凸２９Ａと凹凸３５Ａは、両方とも衣服用ファン１に設けられていてもよいし、或いは、何れか一方のみが設けられていてもよい。凹凸２９Ａと凹凸３５Ａのように微細な凹凸であっても、衣服用ファン１の着用者の姿勢の変化により、衣服４の生地４１に引張方向の力が加わると、周縁部４３の凹凸２９Ａ，３５Ａへの接触により、開口部４２の周囲は引張方向にそれ以上広がることができない。すなわち、周縁部４３の凹凸２９Ａと凹凸３５Ａへの係合により、開口部４２における引張方向への変形が阻止される。
【００４１】
図１１は、衣服用ファン１の第７変形例を示した図である。衣服用ファン１は、上述した突起２９，３５の代わりに、樹脂よりも摩擦係数の高いゴム２９Ｂ，３５Ｂ（本願でいう「係合部」の一例である）を備えるものであってもよい。ゴム２９Ｂとゴム３５Ｂは、両方とも衣服用ファン１に設けられていてもよいし、或いは、何れか一方のみが設けられていてもよい。ゴム２９Ｂとゴム３５Ｂのように摩擦係数の比較的高い素材であっても、衣服用ファン１の着用者の姿勢の変化により、衣服４の生地４１に引張方向の力が加わると、ゴム２９Ｂとゴム３５Ｂの摩擦力で周縁部４３の動きが阻止され、開口部４２の周囲は引張方向に広がることができない。すなわち、周縁部４３のゴム２９Ｂとゴム３５Ｂへの係合により、開口部４２における引張方向への変形が阻止される。
【００４２】
また、上記実施形態では、本願でいう「係止部」に相当する突起２９，３５や凹凸２９Ａ，３５Ａ、ゴム２９Ｂ，３５Ｂが離散配置されていたが、これらはフランジ部２７や固定部材３の外周縁沿いに環状に形成されていてもよい。
【符号の説明】
【００４３】
１・・衣服用ファン
２・・ファン本体
３・・固定部材
４・・衣服
２１・・ハウジング
２２・・吸気口
２３・・排気口
２４・・雄ネジ
２７・・フランジ部
２８・・滑り止め
２９・・突起
２９Ａ・・凹凸
２９Ｂ・・ゴム
３１・・リング部
３２・・滑り止め
３３・・雌ネジ
３４・・押圧面
３５・・突起
３５Ａ・・凹凸
３５Ｂ・・ゴム
４１・・生地
４２・・開口部
４３・・周縁部
【図１】
2020067058.tif 000003
【図２】
2020067058.tif 000004
【図３】
2020067058.tif 000005
【図４】
2020067058.tif 000006
【図５】
2020067058.tif 000007
【図６】
2020067058.tif 000008
【図７】
2020067058.tif 000009
【図８】
2020067058.tif 000010
【図９】
2020067058.tif 000011
【図１０】
2020067058.tif 000012
【図１１】
2020067058.tif 000013